(57)【要約】【課題】複雑な装置を必要とせず、簡単設置でき、安価に製作でき、鳥獣を追払う効果が高く、確実に鳥獣類から農作物を守ることができる鳥獣追払装置を実現する。【解決手段】棒体の一端を支点として、該棒体の他端が弧を描くように上下動する駆動手段が設けられ、その棒体の動きにより鳥獣を追い払うことを特徴とする鳥獣追払装置であり、また、前記の上下動する棒体の先端にワイヤーの一端を接続し、該ワイヤーの他端は固定して張設し、棒体の上下動に従い、ワイヤーが揺動することにより、鳥獣を追い払うことを特徴とする鳥獣追払装置である。【選択図】      図１
2007097557.tif 000002
【特許請求の範囲】
【請求項１】
棒体の一端を支点として、該棒体の他端が弧を描くように上下動する駆動手段が設けられ、その棒体の動きにより鳥獣を追い払うことを特徴とする鳥獣追払装置。
【請求項２】
前記の上下動する棒体の先端にワイヤーの一端を接続し、該ワイヤーの他端は固定して張設し、棒体の上下動に従い、ワイヤーが揺動することにより、鳥獣を追い払うことを特徴とする請求項１に記載の鳥獣追払装置。
【請求項３】
前記の棒体は伸縮手段が設けられていることを特徴とする請求項１または請求項２に記載の鳥獣追払装置。
【請求項４】
前記の棒体の支点側の一部に可撓性部分が設けられていることを特徴とする請求項１から請求項３までのいずれかの項に記載の鳥獣追払装置。
【請求項５】
前記の駆動手段は、タイマーが設けられ、任意の間隔でオン、オフすることを特徴とする請求項１から請求項４までのいずれかの項に記載の鳥獣追払装置。
【請求項６】
前記の駆動手段は、光センサーが設けられ、明るさを感知して駆動することを特徴とする請求項１から請求項５までのいずれかの項に記載の鳥獣追払装置。
【請求項７】
前記の駆動手段は、ソーラーシステムが設けられ、太陽光により駆動することを特徴とする請求項１から請求項６までのいずれかの項に記載の鳥獣追払装置。
【請求項８】
前記の駆動手段は、鳥獣類が立ち寄りやすくするための止まり木手段に設けられた鳥獣類感知手段により駆動することを特徴とする請求項１から請求項６までのいずれかの項に記載の鳥獣追払装置。
【請求項９】
前記の鳥獣類感知手段は、赤外線センサーであることを特徴とする請求項８に記載の鳥獣追払装置。
【発明の詳細な説明】
【技術分野】
【０００１】  本発明は、鳥獣類による被害を防止するために、近寄った鳥獣類を追い払いことのできる鳥獣類追払装置に関する。
【背景技術】
【０００２】  従来より、鳥獣類の被害に対して、鳥獣類の追払装置が各種開発されており、かかしなどに代表される、擬似人形の設置や、鈴や爆音、天敵の泣き声などの音による追払、あるいは、動きによる驚かしにより追払うものなどがある。【０００３】  例えば、特開２０００−５０７８４号などでは、対象となる畑などの周囲に支柱を立てて、滑車を固定し、鈴をっけた綱を外周に張設し、その綱の一端をクランクハンドルで引っ張ったり緩めたりすることで、鈴の音と綱の動きで威嚇して追払うようにしたものである。【０００４】  また、特開２００５−２０４６３１号などでは、任意の間隔で水平に回転する棒体の両端に磁石を設け、その磁力と棒体の回転時に生じる音とで、追払うものである。
【特許文献１】特開２０００−５０７８４号公報
【特許文献２】特開２００５−２０４６３１号公報
【発明の開示】
【発明が解決しようとする課題】
【０００５】  解決しようとする問題点は、複雑な装置を必要とせず、簡単設置でき、安価に製作でき、鳥獣を追払う効果が高く、確実に鳥獣類から農作物を守ることができる鳥獣追払装置を実現することである。
【課題を解決するための手段】
【０００６】  本発明の請求項１は、棒体の一端を支点として、該棒体の他端が弧を描くように上下動する駆動手段が設けられ、その棒体の動きにより鳥獣を追い払うことを特徴とする鳥獣追払装置である。【０００７】  該駆動装置は、棒体の先端を上下動させることができるものであればいずれでもよく、モーターの回転運動を棒体の先端を上下動させるようなクランク機構やカム機構としても良い。【０００８】  該棒体は、上記の上下動に追従できる程度の剛性を有するものであればいずれでも良く、木製、竹製、樹脂製、金属製などでも良い。【０００９】  本発明の請求項２は、前記の上下動する棒体の先靖にワイヤーの一端を接続し、該ワイヤーの他端は固定して張設し、棒体の上下動に従い、ワイヤーが揺動することにより、鳥獣を追い払うことを特徴とする鳥獣追払装置である。【００１０】  該ワイヤーは、張設状態で揺動に耐えるものであればいずれでも良く、布製、樹脂製、プラスチック製、金属製などでも良い。【００１１】  本発明の請求項３は、前記の棒体は伸縮手段が設けられていることを特徴とする鳥獣追払装置である。該伸縮手段は、釣竿のような入り子状態の伸縮手段でも良く、ねじ式の接続やボルト止めで接続するものでも良い。【００１２】  本発明の請求項４は、前記の棒体の支点側の一部に可撓性部分が設けられていることを特徴とする鳥獣追払装置である。該可撓性部材は、ゴムや軟質樹脂やバネなどでも良い。【００１３】  本発明の請求項５は、前記の駆動手段は、タイマーが設けられ、任意の間隔でオン、オフすることを特徴とする鳥獣追払装置である。【００１４】  本発明の請求項６は、前記の駆動手段は、光センサーが設けられ、明るさを感知して駆動することを特徴とする鳥獣追払装置である。【００１５】  本発明の請求項７は、前記の駆動手段は、ソーラーシステムが設けられ、太陽光により駆動することを特徴とする鳥獣追払装置である。【００１６】  本発明の請求項８は、前記の駆動手段は、鳥獣類が立ち寄りやすくするための止まり木手段に設けられた鳥獣類感知手段により駆動することを特徴とする鳥獣追払装置である。該鳥獣類感知手段は、鳥獣の体重でスイッチが入るものや、光をさえぎることでスイッチが入るものなどでも良い。【００１７】  本発明の請求項９は、前記の鳥獣類感知手段は、赤外線センサーであることを特徴とする鳥獣追払装置である。
【発明の効果】
【００１８】  本発明の鳥獣追払装置は、以下のような効果がある。
１）鳥獣を確実に威嚇でき、農作物を鳥獣から守ることがきる。
２）威嚇動作のタイミングを任意に調整でき、コストの削減ができる。
３）鳥獣が近寄った時のみに作動させることができる。
４）簡単な装置で鳥獣が寄ってきたことを確実に感知することができる。
５）光センサーにより、昼間、夜間の活動鳥獣類に対応して昼間駆動、夜間駆動なの調整が可能である。
６）棒体のサイズを自由に調整できる。
７）ワイヤーを揺らすことで確実に追払うことができる。
８）可撓性部分を有する棒体なので、駆動により誤って棒体が人間に当たった場合でも怪我の心配がない安全な棒体である。
９）棒体を上下動するだけなので、駆動の仕組みが複雑ではなく、故障の少ない信頼性の高い駆動手段となる。
【発明を実施するための最良の形態】
【００１９】  図１は、本発明による鳥獣類追払装置の実施例を示す全体図であり、（１）は、棒体２の先端に紐３を取り付けて駆動時に威嚇効果を高めたものである。（２）は、棒体２の先端とワイヤー固定柱５との間にワイヤー４を張設したものであり、図に示す矢印のように棒体２を上下動させて、ワイヤー４を揺動させるようにしたものである。【００２０】  該固定柱５を複数設け、ワイヤー４を複数本張り、それらの１箇所を駆動装置１で揺動させるようにしても良い。【００２１】  また、止まり木を設け、その止まり木に鳥などが止まった場合に、それを感知して駆動装置のスイッチが入るようにしても良い。例えば、止まった鳥の重さでスイッチが入ったり、赤外線センサーで感知しても良い。【００２２】  図２は、本発明による鳥獣類追払装置の棒体の支点側にゴムによる可撓性部分６を設けたものである。これにより、棒体の上下動により、傍を通る人などに当たってしまった場合においても、この可撓性部分６により衝撃を和らげることができ、安全性が確保される。【００２３】  図３は、本発明による鳥獣類追払装置の棒体の伸縮手段を示す図である。図の２ａ部分が入り子になっており、釣り竿状に伸縮するようになっている。
【図面の簡単な説明】
【００２４】
【図１】本発明による鳥獣類追払装置の実施例を示す全体図である。
【図２】本発明による鳥獣類追払装置の棒体の可撓性部分の実施例を示す図である。
【図３】本発明による鳥獣類追払装置の棒体の伸縮手段の実施例を示す図である。
【符号の説明】
【００２５】  １  駆動装置
２  棒体
３  紐
４  ワイヤー
５  ワイヤー固定柱
６  可撓性部（ゴム）
【図１】
2007097557.tif 000003
【図２】
2007097557.tif 000004
【図３】
2007097557.tif 000005